(57)【要約】【課題】折り畳み式電子デバイスを提供する。【解決手段】第一フレーム、第二フレーム、第一接続ロッド、及び第二接続ロッドを含む折り畳み式電子デバイスを提供する。第一接続ロッドは、第一端及び第二端を有し、第一端及び第二端は、それぞれ第一フレーム及び第二フレームの一方側上で枢支される。第二接続ロッドは、第三端及び第四端を有し、第三端及び第四端は、それぞれ第一フレーム及び第二フレームの他方側上で枢支される。第一接続ロッドは、第一軸を中心として回転するのに適しており、第二接続ロッドは、第二軸を中心として回転するのに適しており、第一軸は、第二軸と同軸でない。【選択図】図３Ｂ
2009049991.tif 000002
【特許請求の範囲】
【請求項１】
第一フレームと、
第二フレームと、
第一端及び第二端を有する第一接続ロッドと、
第三端及び第四端を有する第二接続ロッドと
を含み、
前記第一端及び前記第二端は、それぞれ前記第一フレーム及び前記第二フレームの一方側上で枢支され、前記第二端は、前記第二フレーム上で第一軸により枢支され、前記第一接続ロッドは、前記第一軸を中心として回転するのに適しており、
前記第三端及び前記第四端は、それぞれ前記第一フレーム及び前記第二フレームの他方側上で枢支され、前記第四端は、前記第二フレーム上で第二軸により枢支され、前記第二接続ロッドは、前記第二軸を中心として回転するのに適しており、前記第一軸は、前記第二軸と同軸でない、
折り畳み式電子デバイス。
【請求項２】
前記第一フレーム、前記第二フレーム、前記第一接続ロッド、及び前記第二接続ロッドは、４軸リンケージ構造を形成する、
請求項１に記載の折り畳み式電子デバイス。
【請求項３】
前記第一端は、前記第三端と同軸でない、
請求項１に記載の折り畳み式電子デバイス。
【請求項４】
前記第二フレームは、ブロッキング要素を更に含み、前記ブロッキング要素は、前記第一フレームが前記第二フレームから開かれたときに前記第一フレームを支持するのに適している、
請求項１に記載の折り畳み式電子デバイス。
【請求項５】
前記第一接続ロッドが前記第二フレーム上で枢支される位置に設置される弾性ヒンジを更に含む、
請求項１に記載の折り畳み式電子デバイス。
【請求項６】
前記第二接続ロッドが前記第二フレーム上で枢支される位置に設置される弾性ヒンジを更に含む、
請求項１に記載の折り畳み式電子デバイス。
【請求項７】
前記第一フレームは、ディスプレイを含む、
請求項１に記載の折り畳み式電子デバイス。
【請求項８】
前記第二フレームは、キーパッド領域を含む、
請求項１に記載の折り畳み式電子デバイス。
【発明の詳細な説明】
【技術分野】
【０００１】
本発明は、折り畳み式電子デバイスに関し、特に、４軸リンケージ構造を用いた折り畳み式電子デバイスに関する。
【背景技術】
【０００２】
携帯電話、ＰＤＡ等の手持ち式電子デバイスは、その利便性及び可搬性によりわれわれの日常生活において欠かすことのできない機器の一つとなった。携帯電話のキーパッドもしくはスクリーンを保護するべく、携帯電話を包む従来のレザーケースに取って代わる持ち上げ式のカバー設計もしくはスライド式のカバー設計さえも提供されている。ユーザは、この持ち上げ式カバーもしくはスライド式カバーにより、偶発的にダイヤルしたりキーパッドを傷めたりすることをなくすことができるであろう。
【０００３】
図１Ａ及び図１Ｂは、従来のスライド式カバー設計の携帯電話を示す図であり、それぞれ携帯電話が開いている状態と閉じている状態とを示す。図１Ａ及び図１Ｂを参照すると、携帯電話１００が開かれているとき、もしくは閉じられているとき、単一のスクリーン１１０が用いられる。単一のスクリーン１１０を用いることは、携帯電話１００の製造コスト削減の一助となる。しかし、スクリーンがキーパッドに対して動くと、スライド構造により携帯電話１００のキーパッド領域１２０が占領されるので、当該領域はせまい。したがって、各キー１２２のサイズは小さく、キー１２２により携帯電話１００を操作するのはユーザにとって不便である。
【０００４】
図２Ａ及び図２Ｂは、持ち上げ式カバー設計を有する従来の携帯電話を示す図であり、それぞれ携帯電話が開いている状態と閉じている状態とを示す。図２Ａ及び図２Ｂを参照すると、携帯電話２００は、より大きいキーパッド領域２２０を有する。しかし、操作の利便性を図るべく携帯電話２００の内側及び外側に二つのスクリーン２１２及び２１４が設置されており、ユーザは、出られなった電話がないか、もしくは新たに受信したメッセージがないかを携帯電話２００を閉じているときに知ることができる。このような２スクリーン設計により、携帯電話２００の厚み及び製造コストが増加する。
【発明の開示】
【発明が解決しようとする課題】
【０００５】
したがって、本発明は、４軸リンケージ構造に基づく折り畳み式電子デバイスに向けられており、当該折り畳み式電子デバイスにおいては、二本の接続ロッドがそれぞれ第一フレーム及び第二フレームのそれぞれの側上で枢支されて、二本の接続ロッドの動作軌道により第一フレームの運動が制限され、したがってユーザが折り畳み式電子デバイスを開くとき折り畳み式電子デバイスのスクリーンが常にユーザに対面するようにされている。したがって、本発明の折り畳み式電子デバイスは、操作の利便性を期した広いキーパッド領域及びコスト削減を期した単一スクリーンの両方の利点を備える。
【課題を解決するための手段】
【０００６】
本発明は、第一フレーム、第二フレーム、第一接続ロッド、及び第二接続ロッドを含む折り畳み式電子デバイスを提供する。第一接続ロッドは、第一端及び第二端を有し、第一端及び第二端は、それぞれ第一フレーム及び第二フレームの一方側上で枢支される。第二端は、第二フレーム上で第一軸により枢支され、第一接続ロッドは、第一軸を中心として回転することができる。第二接続ロッドは、第三端及び第四端を有し、第三端及び第四端は、それぞれ第一フレーム及び第二フレームの他方側上で枢支される。第四端は、第二フレーム上で第二軸により枢支され、第二接続ロッドは、第二軸を中心として回転することができる。第一軸は、第二軸と同軸でない。
【０００７】
本発明の実施形態によると、第一フレーム、第二フレーム、第一接続ロッド、及び第二接続ロッドは、４軸リンケージ構造を形成する。
【０００８】
本発明の実施形態によると、第一接続ロッドの第一端は、第二接続ロッドの第三端と同軸でない。
【０００９】
本発明の実施形態によると、第二フレームは、ブロッキング要素を更に含み、ブロッキング要素は、第一フレームが第二フレームから開かれたときに第一フレームを支持するのに適している。
【００１０】
本発明の実施形態によると、折り畳み式電子デバイスは、第一接続ロッドが第二フレーム上で枢支される位置に設置される弾性ヒンジを更に含む。
【００１１】
本発明の実施形態によると、折り畳み式電子デバイスは、第二接続ロッドが第二フレーム上で枢支される位置に設置される弾性ヒンジを更に含む。
【００１２】
本発明の実施形態によると、第一フレームは、ディスプレイを含む。
【００１３】
本発明の実施形態によると、第二フレームは、キーパッド領域を含む。
【００１４】
本発明により提供される折り畳み式電子デバイスによると、二本の接続ロッドがそれぞれ第一フレーム及び第二フレームのそれぞれの側上で枢支されて４軸リンケージ構造を形成し、二本の接続ロッドは非対称である。第一フレームが第二フレームから開かれるとき、第一フレームの運動は、二本の接続ロッドの動作軌道により制限される。結果として、ユーザが折り畳み式電子デバイスを開くとき、折り畳み式電子デバイスのスクリーンは常にユーザに対面する。したがって、本発明の折り畳み式電子デバイスは、操作の利便性を期した広いキーパッド領域及びコスト削減を期した単一スクリーンの両方の利点を備える。
【図面の簡単な説明】
【００１５】
発明の一層の理解を促進するべく添付の図面を含め、本明細書に取り込みその一部とする。図面は、発明の実施形態を示し、記載とともに発明の原理を説明する。
【００１６】
【図１Ａ】従来のスライド式カバー設計の携帯電話を示す図であり、携帯電話は閉じられている。
【００１７】
【図１Ｂ】従来のスライド式カバー設計の携帯電話を示す図であり、携帯電話は開かれている。
【００１８】
【図２Ａ】持ち上げ式カバー設計の従来の携帯電話を示す図であり、携帯電話は閉じられている。
【００１９】
【図２Ｂ】持ち上げ式カバー設計の従来の携帯電話を示す図であり、携帯電話は開かれている。
【００２０】
【図３Ａ】本発明の実施形態に係る折り畳み式電子デバイスの斜視図であり、折り畳み式電子デバイスは閉じられている。
【００２１】
【図３Ｂ】本発明の実施形態に係る折り畳み式電子デバイスの斜視図であり、折り畳み式電子デバイスは開かれている。
【００２２】
【図４Ａ】本発明に係る折り畳み式電子デバイスの斜視図であり、折り畳み式電子デバイスが閉じた状態から完全に開いた状態へと変化する様子を示す。
【００２３】
【図４Ｂ】本発明に係る折り畳み式電子デバイスの斜視図であり、折り畳み式電子デバイスが閉じた状態から完全に開いた状態へと変化する様子を示す。
【００２４】
【図４Ｃ】本発明に係る折り畳み式電子デバイスの斜視図であり、折り畳み式電子デバイスが閉じた状態から完全に開いた状態へと変化する様子を示す。
【００２５】
【図４Ｄ】本発明に係る折り畳み式電子デバイスの斜視図であり、折り畳み式電子デバイスが閉じた状態から完全に開いた状態へと変化する様子を示す。
【００２６】
【図５】図４Ａ乃至図４Ｄに示す折り畳み式電子デバイスの第一フレームを第二フレームから開くときの折り畳み式電子デバイスの第一接続ロッド及び第二接続ロッドの動作軌道を示す。
【００２７】
【図６】本発明の折り畳み式電子デバイスの斜視図であり、折り畳み式電子デバイスの第二フレームには、ブロッキング要素が設置されている。
【発明を実施するための最良の形態】
【００２８】
以下に、発明の本好適実施形態について詳細に説明し、その例を添付の図面に示す。図面及び記載においては、可能な限り、同一あるいは類似の部分を言及するべく同一の参照番号を用いる。
【００２９】
本発明が提供する折り畳み式電子デバイスを記載する以下の実施形態において携帯電話を例として採り上げる。しかし、本発明において、折り畳み式電子デバイスの範囲は限定されない。折り畳み式電子デバイスは、パームトップ、ウルトラモバイルＰＣ（ＵＭＰＣ）、ＰＤＡ、もしくはトランスレーター等であってもよい。図３Ａ及び図３Ｂは、本発明の実施形態に係る折り畳み式電子デバイスの斜視図であり、それぞれ折り畳み式電子デバイスが閉じている状態と開いている状態とを示す。図３Ａ及び図３Ｂを参照すると、折り畳み式電子デバイス３００は、第一フレーム３１０、第二フレーム３２０、第一接続ロッド３３０、及び第二接続ロッド３４０を含む。
【００３０】
ディスプレイ３１２は、第一フレーム３１０に設置される。メインユニットは、第二フレーム３２０内に設置され、第二フレーム３２０は、キーパッド領域３２２を有する。メインユニットは、折り畳み式電子デバイス３００全体において、電子データを処理するための主要な要素である。たとえば、ユーザが電話番号をダイヤルするとき、短いメッセージを入力するとき、もしくは携帯電話の特定の機能を実行するとき、電子データの全てをメインユニットが処理し計算する。ユーザは、キーパッド領域３２２から電話番号もしくは短いメッセージを入力し、又は特定の機能を実行することができる。メインユニットにより処理し計算された電子データは、第一フレーム３１０のディスプレイ３１２に表示され、ユーザは、自身が実行した機能の結果を知ることができる。
【００３１】
第一接続ロッド３３０及び第二接続ロッド３４０は、それぞれ第一フレーム３１０及び第二フレーム３２０のどちらかの側を接続する。第一接続ロッド３３０は、第一端３３２及び第二端３３４を有する。第一端３３２及び第二端３３４は、第一フレーム３１０の左側上及び第二フレーム３２０の左側上でそれぞれ枢支され、第二端３３４は第一軸Ｌ１により第二フレーム３２０上で枢支される。第二接続ロッド３４０は、第三端３４２及び第四端３４４を有する。第三端３４２及び第四端３４４は、第一フレーム３１０の右側上及び第二フレーム３２０の右側上でそれぞれ枢支され、第四端３４４は、第二軸Ｌ２により第二フレーム３２０上で枢支される。したがって、第一フレーム３１０、第二フレーム３２０、第一接続ロッド３３０、及び第二接続ロッド３４０は、４軸リンケージ構造を形成する。第一端３３２及び第三端３４２は同軸上になく、第二端３３４及び第四端３４４は同軸上になく、つまり第一接続ロッド３３０及び第二接続ロッド３４０は、非対称である。第一接続ロッド３３０及び第二接続ロッド３４０は、図３Ｂに示すように、それぞれ第一軸Ｌ１及び第二軸Ｌ２を中心として回転し、それにより第一フレーム３１０を第二フレーム３２０に対して開閉する。
【００３２】
図４Ａ乃至図４Ｄは、本発明における折り畳み式電子デバイスの斜視図であり、折り畳み式電子デバイスが閉じた状態から完全に開いた状態へと変化する様子を示す。図５は、図４Ａ乃至図４Ｄに示す折り畳み式電子デバイスの第一フレームを第二フレームから開くときの折り畳み式電子デバイスの第一接続ロッド及び第二接続ロッドの動作軌道を示す。図４Ａ乃至図４Ｄ及び図５を参照すると、第一フレーム３１０の運動は、第一フレーム３１０を第二フレーム３２０から開くときの第一接続ロッド３３０及び第二接続ロッド３４０の動作軌道により制限される。図４Ｂに示すように、第一フレーム３１０は、水平なまま上方に移動する。図４Ｃに示すように、第一接続ロッド３３０及び第二接続ロッド３４０は、後方に回転し、それにより第一フレーム３１０を後方に移動させる。最後に、第一フレーム３１０は、図４Ｄに示す位置に到達する。第一フレーム３１０上及び第二フレーム３２０上で枢支される四つの端部の位置と、第一接続ロッド３３０及び第二接続ロッド３４０の長さとにより、折り畳み式電子デバイス３００を開いたときの第一フレーム３１０の最終位置は影響される。図４Ａ乃至図４Ｄに示すように、折り畳み式電子デバイス３００のディスプレイ３１２は、ユーザが第一フレーム３１０を第二フレーム３２０に対して移動させるとき、常にユーザに対面する。したがって、折り畳み式電子デバイス３００は、従来の携帯電話と比較して、コスト削減を意図した単一スクリーン及び操作の利便性を意図した広いキーパッド領域の両方の利点を備える。
【００３３】
更に、図６に示すように、ブロッキング要素３２４を任意的に第二フレーム３２０に設置してよく、第一フレーム３１０が図４Ｄに示すような最終位置に到達したときにブロッキング要素３２４により第一フレーム３１０が支持されるようにしてよい。更に、第一接続ロッド３３０が第二フレーム３２０上で枢支される位置及び／又は第二接続ロッド３４０が第二フレーム３２０上で枢支される位置に、弾性のヒンジを任意的に設置してよい。ユーザが図４Ｄに示すような最終位置に第一フレーム３１０を移動させ、もしくは図４Ａに示すような元の位置に第一フレーム３１０を下ろすとき、第一フレーム３１０は、弾性ヒンジの弾性により所定位置に移動もしくは下りることができる。
【００３４】
上記したように、本発明により提供される折り畳み式電子デバイスにおいては、非同軸を中心に回転する二本の接続ロッドは、第一フレーム及び第二フレームのいずれかの側においてそれぞれ枢支され、４軸リンケージ構造を形成する。第一フレームの運動は、第一フレームが第二フレームから開かれるときの二本の接続ロッドの動作軌道により制限され、したがってユーザが第一フレームを第二フレームに対して移動させるときに折り畳み式電子デバイスのスクリーンは常にユーザに対面する。それゆえ、本発明の折り畳み式電子デバイスは、操作の利便性を期した広いキーパッド領域とコスト削減を期した単一スクリーンの両方の利点を備える。
【００３５】
発明の範囲もしくは趣旨から逸脱することなく、多様な変更及び多様化を本発明の構造に行い得ることが当業者には明らかであろう。上記を考慮すると、本発明の変更及び多様化は、それらが以下の請求項及びその均等の範囲に存在するのであれば、本発明の範囲に含まれることが意図される。
【図１Ａ】
2009049991.tif 000003
【図１Ｂ】
2009049991.tif 000004
【図２Ａ】
2009049991.tif 000005
【図２Ｂ】
2009049991.tif 000006
【図３Ａ】
2009049991.tif 000007
【図３Ｂ】
2009049991.tif 000008
【図４Ａ】
2009049991.tif 000009
【図４Ｂ】
2009049991.tif 000010
【図４Ｃ】
2009049991.tif 000011
【図４Ｄ】
2009049991.tif 000012
【図５】
2009049991.tif 000013
【図６】
2009049991.tif 000014
【外国語明細書】
2009049991.tif 000015
2009049991.tif 000016
2009049991.tif 000017
2009049991.tif 000018
2009049991.tif 000019
2009049991.tif 000020
2009049991.tif 000021
2009049991.tif 000022
2009049991.tif 000023
2009049991.tif 000024
2009049991.tif 000025
2009049991.tif 000026
2009049991.tif 000027
2009049991.tif 000028
2009049991.tif 000029
2009049991.tif 000030
2009049991.tif 000031
2009049991.tif 000032